(57)【要約】【課題】  薄型テレビの配置変更や機種変更があっても美観を損ねることがなく、更には転倒防止を容易且つ迅速に行うことができる、薄型テレビ用転倒防止具を得る。【解決手段】  薄型テレビの背面にある壁掛け金具取付けネジ部に、ワイヤの一端部を保持するための固定金具を固定し又はワイヤの一端部を直接固定すると共に、該薄型テレビの後面の壁又は薄型テレビを載せたテレビ台に前記ワイヤの他端部を着脱自在に保持することができるワイヤ保持装置を固定するためのレールを設置し、該レールに固定したワイヤ保持装置に前記ワイヤの他端部を挿着して張架することにより当該薄型テレビの転倒防止を図る構造とする。【選択図】図１
0003131374.tif 000002
【実用新案登録請求の範囲】
【請求項１】
薄型テレビの背面にある壁掛け金具取付けネジ部に、ワイヤの一端部を保持するための固定金具を固定し又はワイヤの一端部を直接固定すると共に、該薄型テレビの後面の壁又は薄型テレビを載せたテレビ台に前記ワイヤの他端部を着脱自在に保持することができるワイヤ保持装置を固定するためのレールを設置し、該レールに固定したワイヤ保持装置に前記ワイヤの他端部を挿着して張架することにより当該薄型テレビの転倒防止を図る構造としたことを特徴とする、薄型テレビ用転倒防止具。
【考案の詳細な説明】
【技術分野】
【０００１】  本考案は、地震発生時等において大画面を有したプラズマテレビや液晶テレビ等の薄型テレビの転倒を防止するための、薄型テレビ用転倒防止具に関するものである。
【背景技術】
【０００２】  近年におけるテレビの形状は、テレビ放送のデジタル化やハイビジョン化に伴う高画質高細精化により、ブラウン管テレビから大画面を有したプラズマテレビや液晶テレビ等の薄型テレビに移行しつつある。該薄型テレビの設置方法として、一般家庭では専用取付け台に取付けて畳やフローリング等の上に置いたり、専用スタンドに取付けてローボード等の上に載せている。【０００３】  上記薄型テレビの底面積は、従来のブラウン管テレビの底面積に比べ非常に狭く、専用取付け台や専用スタンドに取付けても重心が高くなるため、転倒し易いという問題点があった。また、地震発生時等における薄型テレビの転倒方向として、視聴者側すなわち前方に転倒することが危惧されるため、非常に危険であるという問題点もあった。このため、地震発生時等において薄型テレビがテレビ台より転倒するのを防止するための転倒防止具として、本願出願人による実用新案登録第３１２０４２８号公報の「薄型テレビ用転倒防止具」において、薄型テレビの背面にある壁掛け金具取付けネジ部にアイボルトを螺着すると共に、該薄型テレビの後面の壁又は薄型テレビを載せたテレビ台に固定金具を固定し、前記アイボルトと固定金具とを先端側にフックを備えたワイヤにて張架することにより転倒防止を図る転倒防止具を提案した。また、実用新案登録第３１２４５７４号公報の「薄型テレビ用転倒防止具」において、薄型テレビの背面にある壁掛け金具取付けネジ部にワイヤ保持装置を固定又は保持するための金具をボルトにて固定すると共に、該薄型テレビの後面の壁又は薄型テレビを載せたテレビ台に前記ワイヤの一端部を保持するための固定金具を固定し、前記ワイヤの他端部をワイヤ保持装置に挿着して張架することにより転倒防止を図る転倒防止具を提案した。【０００４】
【特許文献１】実用新案登録第３１２０４２８号
【特許文献２】実用新案登録第３１２４５７４号
【考案の開示】
【考案が解決しようとする課題】
【０００５】  しかしながら、上記何れの公報に記載の転倒防止具において、ワイヤの一端部を固定するための固定金具が壁又は薄型テレビを載せたテレビ台に直接木ネジで固定する構造のため、薄型テレビの配置変更や機種変更に伴い前記固定金具の固定位置も変更する必要がある。このとき、壁又はテレビ台に前回の固定に用いたネジ穴が残ってしまうため、美観を損ねてしまうという問題点が発生した。また、家電量販店等でも展示用薄型テレビの大きさに合わせて前記固定金具を固定する必要があるが、同様に配置変更や機種変更に伴う固定金具の位置変更が手間取ってしまうという問題点があった。【０００６】  本考案は、上記問題点を解決するために成されたものであり、プラズマテレビや液晶テレビ等の薄型テレビの転倒防止具を当該薄型テレビと壁又は薄型テレビを載せたテレビ台に係着する際において、固定金具を壁やテレビ台に木ネジ等で固定する必要がなく、薄型テレビの配置変更や機種変更があっても美観を損ねることがなく、更には転倒防止を容易且つ迅速に行うことができる、薄型テレビ用転倒防止具を提供することを目的とする。
【課題を解決するための手段】
【０００７】  上記課題を解決するため、本考案の薄型テレビ用転倒防止具においては、薄型テレビの背面にある壁掛け金具取付けネジ部に、ワイヤの一端部を保持するための固定金具を固定し又はワイヤの一端部を直接固定すると共に、該薄型テレビの後面の壁又は薄型テレビを載せたテレビ台に前記ワイヤの他端部を着脱自在に保持することができるワイヤ保持装置を固定するためのレールを設置し、該レールに固定したワイヤ保持装置に前記ワイヤの他端部を挿着して張架することにより当該薄型テレビの転倒防止を図る構造とする。
【考案の効果】
【０００８】  本考案の薄型テレビ用転倒防止具を用いて大画面を有したプラズマテレビや液晶テレビ等の薄型テレビの転倒防止を図るようにすれば、転倒防止具を当該薄型テレビと壁又は薄型テレビを載せたテレビ台に係着する際において、固定金具を壁やテレビ台に木ネジ等で固定する必要がなくなるため、薄型テレビの配置変更や機種変更があっても不要なネジ穴を残すことなく美観を損ねることがないという効果を奏する。また、ワイヤ保持装置がレールに沿って移動できると共に、ワイヤの着脱が自在に行えることによりワイヤ保持装置の位置決めが容易となるため、転倒防止を容易且つ迅速に行うことができるという効果も奏する。
【考案を実施するための最良の形態】
【０００９】  本考案を実施するための最良の形態を図を用いて説明する。【００１０】  図１は本考案の薄型テレビ用転倒防止具をテレビ台に固定する際の一実施例における構成図であり、薄型テレビの背面にある壁掛け金具取付けネジ部（図示せず）に、ワイヤ１２の一端部の輪部１３を保持するための固定金具１５をボルト１８にて固定する。又はワイヤ１２の一端部の輪部１３をボルト１８にて直接固定する。前記輪部１３は、ワイヤ１２の一端部を適度な大きさを有したループ状にしてオーバルスリーブ１４でかしめて形成する。また、当該薄型テレビの後面の壁又は薄型テレビを載せたテレビ台１９に前記ワイヤ１２の他端部を着脱自在に保持することができるワイヤ保持装置３を固定するためのレール１を設置し、該レール１に固定したワイヤ保持装置３に前記ワイヤ１２の他端部を挿着して張架する。【００１１】  該図において、レール１はテレビ台１９に埋設した状態を示しており、当該レール１の上面とテレビ台１９の表面とは段差無く同一平面となっている。なお、テレビ台１９に埋設したレール１の固定方法は、後述の木ネジを使用してテレビ台１９の表面に固定しても構わない。前記テレビ台１９の材質は木製を想定したものであるが、スチール製であればボルトを使用して固定しても構わない。【００１２】  図２は図１におけるレール取り付け方法の他の実施例であり、レール１をテレビ台１９の表面に木ネジ２０を使用して固定した状態を示している。図１で示すレール１の取り付け方法は、該テレビ台１９の製造段階で行うのが好適であるが、既製のテレビ台１９に後からレール１を取り付ける場合は、図２で示す方法が好適となる。【００１３】  図３は本考案の薄型テレビ用転倒防止具を壁に固定する際の一実施例における構成図であり、（ａ）はレール１を壁２４に埋設した状態を示し、（ｂ）はレール１を壁２４の表面に木ネジ２０で固定した状態を示している。基本的には上述のテレビ台１９への固定方法と同様である。壁２４には、モルタル，石膏ボード，化粧合板等があるが、状況に応じて最適な取り付け方法を選択する。特に石膏ボードの場合には、壁２４内の桟に木ネジ２０にてレール１を固定するのが好適となる。【００１４】  図４は本考案の薄型テレビ用転倒防止具で用いる固定金具の外形図であり、（ａ）は正面図，（ｂ）は側面図で，（ｃ）は平面図である。該図に示すように、固定金具１５は、Ｌ字型の各片に大径の穴１６ａと小径の穴１６ｂを空け、各穴１６ａ，１６ｂの内側に連通溝１７を設けて構成する。薄型テレビの背面にある壁掛け金具取付けネジ部（図示せず）のネジ径は８ｍｍ，６ｍｍ，５ｍｍ及び４ｍｍが一般的であり、８ｍｍ，６ｍｍの場合は大径の穴１６ａにそれぞれ適応したボルト１８を挿入して固定金具１５を固定し、５ｍｍ，４ｍｍの場合は小径の穴１６ｂにそれぞれ適応したボルト１８を挿入して固定金具１５を固定する。【００１５】  また、図５は図４におけるワイヤの輪部の移動状態を示した図であり、大径の穴１６ａに８ｍｍ，６ｍｍのボルト１８を挿入して固定金具１５を固定する場合は、図中矢印で示すようにワイヤ１２の輪部１３を連通溝１７を通して小径の穴１６ｂ側に移動させて使用する。また、小径の穴１６ｂに���ｍｍ，３ｍｍのボルト１８を挿入して固定金具１５を固定する場合は、図中矢印で示すようにワイヤ１２の輪部１３を連通溝１７を通して大径の穴１６ａ側に移動させて使用する。【００１６】  また、図６は本考案の薄型テレビ用転倒防止具で用いるワイヤ保持装置の一実施例の概略構造図であり、（ａ）はレール１にワイヤ保持装置３をナット８にて固定した状態の正面図，（ｂ）はその側面図である。該図に示すワイヤ保持装置３は、例えば（株）アルティマ社のＵグリップ（商品名）であり、ワイヤ保持装置３の上面部にはワイヤ１２を上面から底面まで貫通して挿入するための挿通穴が設けられ、内部のラッチ機構によりワイヤ１２を挿入して引っ張っても抜けない構造となっている。該ワイヤ１２を外す場合は、ワイヤ１２を挿通したリリースノブ１１を矢印Ａ側に押しながら、ワイヤ１２を矢印Ｂ側に引くことにより抜くことができる。【００１７】  また、ワイヤ保持装置３の後端部には固定部４ａが設けられ、さらに当該固定部４ａの底面部には台座部５ａが設けられる。前記固定部４ａの側面にはネジ部６が螺刻され、その径は断面がＣ字形状を成したレール１の溝２の幅より僅かに短く、台座部５ａの径は前記溝２の幅より大きい。ここで、ワイヤ保持装置３の固定部４ａをレール１の溝２内に挿着した後、左右に移動して位置決めを行い、固定部４ａの側面に螺刻されたネジ部６にナット８を螺着してレール１に台座部５ａを締着することにより、固定部４ａに連結されたワイヤ保持装置３をレール１に固定することができる。なお、ワイヤ保持装置３はレール１への固定後においても保持軸７により、図中矢印方向に回動自在である。【００１８】また、図９は本考案の薄型テレビ用転倒防止具で用いるワイヤ保持装置の別実施例の概略構造図であり、（ａ）はレール１にワイヤ保持装置３を固定部４ｂ及び台座部５ｂにて固定した状態の正面図，（ｂ）はその側面図である。該図に示すワイヤ保持装置３も上述のものと略同様であり、ワイヤ保持装置３の上面部にはワイヤ１２を上面から底面まで貫通して挿入するための挿通穴が設けられ、内部のラッチ機構によりワイヤ１２を挿入して引っ張っても抜けない構造となっている。該ワイヤ１２を外す場合は、ワイヤ１２を挿通したリリースノブ１１を矢印Ａ側に押しながら、ワイヤ１２を矢印Ｂ側に引くことにより抜くことができる。【００１９】  また、図１０は図９における固定部の構造図であり、図１１は図９における台座部の動作図である。ワイヤ保持装置３の後端部には固定部４ｂが設けられ、さらに当該固定部４ｂの底面部にはワッシャー１０及び台座部５ｂが設けられる。前記固定部４ｂに螺入された台座部５ｂ上部の側面にはネジ部６が螺刻され、その径は断面がＣ字形状を成したレール１の溝２の幅より僅かに短く、台座部５ｂの縦幅Ｙと略同一であり、台座部５ｂの横幅Ｘは前記溝２の幅より長い。ここで、図１０の（ａ）のようにワイヤ保持装置３の固定部４ｂを廻して緩め、スプリング９で押されているワッシャー１０を（ｂ）のように矢印Ｃ側に引っ張りながら、ワイヤ保持装置３の台座部５ｂを図１１の左側の状態にして当該台座部５ｂをレール１の溝２内に挿着した後、ワイヤ保持装置３と共に台座部５ｂを９０度廻し���右側の状態にしてレール１の溝２に架ける。その後、ワッシャー１０を戻し、固定部４ｂを左右に移動して位置決めを行い、該固定部４ｂを廻してネジ部６に螺着してレール１に台座部５ｂを締着することにより、固定部４ｂに連結されたワイヤ保持装置３をレール１に固定することができる。なお、図９に示すようにワイヤ保持装置３はレール１への固定後においても保持軸７により、図中矢印方向に回動自在である。
【実施例】
【００２０】  図７は本考案の薄型テレビ用転倒防止具の一実施例におけるテレビ台への固定方法を示した側面図であり、薄型テレビ２１をテレビ台１９に固定する方法を示している。【００２１】  まず、薄型テレビ２１の背面にある壁掛け金具取付けネジ部（図示せず）に、ワイヤ１２の一端部の輪部１３を保持するための固定金具１５をボルト１８にて固定する。なお、前記固定金具１５を使用せずにワイヤ１２の一端部の輪部１３をボルト１８にて直接固定しても構わない。次に、テレビ台１９の後部に設置されたレール１にワイヤ保持装置３を挿着して固定し、当該ワイヤ保持装置３のリリースノブ１１の頭より前記ワイヤ１２の他端部を挿入し、長さ調節を行いながら貼架する。余分なワイヤ１２はワイヤ保持装置３の後端部より外部に出るが、当該薄型テレビ２１の電気部分に触れないように適度に切断する。以上により、薄型テレビ２１をテレビ台１９と固定することができ、転倒防止を図ることができる。【００２２】  薄型テレビ２１を壁２４に固定する方法も上記テレビ台１９に固定する方法と同様である。なお、この場合のレール１の設置位置は、薄型テレビ２１の背面にある壁掛け金具取付けネジ部（図示せず）より上部側にするのが好適である。【００２３】  また、上記何れの固定方法においても、テレビ台１９と専用取付け台２２の底面部との間に粘着力の大きなゲル状粘着マット２３，２３を敷設することにより当該薄型テレビ２１の底部が前後方向に滑ることによる転倒も確実に防止することができる。【００２４】  上記実施例ではワイヤ保持装置３として（株）アルティマ社のＵグリップ（商品名）を使用した実施例を示したが、同等の構造や機能を有したものは本願の考案の範疇に含むものである。【００２５】  また、上記実施例では薄型テレビ２１を壁２４又は薄型テレビ２１を載せたテレビ台１９に固定する手段としてワイヤ１２を用いたが、他の材料たとえばベルトを用いても構わない。この場合、ワイヤ保持装置３はベルト保持装置（図示せず）に変わるが、レール１を使用する点は同様である。このため、薄型テレビ２１の配置変更や機種変更があっても不要なネジ穴を残すことなく美観を損ねることがなく、更には転倒防止の作業を容易且つ迅速に行うことができる。
【産業上の利用可能性】
【００２６】  本考案の転倒防止具は薄型テレビ用として説明したが、同様の構造及び方法を事務所等における事務机上のＯＡ機器等に対しても実施することが可能である。
【図面の簡単な説明】
【００２７】
【図１】本考案の薄型テレビ用転倒防止具をテレビ台に固定する際の一実施例における構成図である。
【図２】図１におけるレール取り付け方法の他の実施例である。
【図３】本考案の薄型テレビ用転倒防止具を壁に固定する際の一実施例における構成図である。
【図４】本考案の薄型テレビ用転倒防止具で用いる固定金具の外形図である。
【図５】図４におけるワイヤの輪部の移動状態を示した図である。
【図６】本考案の薄型テレビ用転倒防止具で用いるワイヤ保持装置の一実施例の概略構造図である。
【図７】本考案の薄型テレビ用転倒防止具の一実施例におけるテレビ台への固定方法を示した側面図である。
【図８】本考案の薄型テレビ用転倒防止具の一実施例におけるテレビ台への固定方法を示した裏面図である。
【図９】本考案の薄型テレビ用転倒防止具で用いるワイヤ保持装置の別実施例の概略構造図である。
【図１０】図９における固定部の構造図である。
【図１１】図９における台座部の動作図である。
【符号の説明】
【００２８】    １  レール
２  溝
３  ワイヤ保持装置
４ａ  固定部
４ｂ  固定部
５ａ  台座部
５ｂ  台座部
６  ネジ部
７  保持軸
８  ナット
９  スプリング
１０  ワッシャー
１１  リリースノブ
１２  ワイヤ
１３  輪部
１４  オーバルスリーブ
１５  固定金具
１６ａ  大径の穴
１６ｂ  小径の穴
１７  連通溝
１８  ボルト
１９  テレビ台
２０  木ネジ
２１  薄型テレビ
２２  専用取付け台
２３  ゲル状粘着マット
２４  壁
【図１】
0003131374.tif 000003
【図２】
0003131374.tif 000004
【図３】
0003131374.tif 000005
【図４】
0003131374.tif 000006
【図５】
0003131374.tif 000007
【図６】
0003131374.tif 000008
【図７】
0003131374.tif 000009
【図８】
0003131374.tif 000010
【図９】
0003131374.tif 000011
【図１０】
0003131374.tif 000012
【図１１】
0003131374.tif 000013